(57)【特許請求の範囲】
【請求項１】
ネットワーク（１００）と関連付けられた装置（１１０）により実行される方法であって、
前記ネットワーク（１００）に接続する自己組織化ネットワーク（ＳＯＮ）ベースの被管理ノード（１２０）からフェッチ要求（３２０）を受信するステップと、
前記被管理ノード（１２０）が自らを構成し動作を開始することになる１以上の条件を指定するトリガ情報（３３０）を前記被管理ノード（１２０）に提供するステップと、
前記トリガ情報（３３０）に基づいて、前記被管理ノード（１２０）に関連する動作状態（３５０）を受信するステップと、
を含むことを特徴とする方法。
【請求項２】
前記フェッチ要求（３２０）に基づいて前記トリガ情報（３３０）を読み出すステップを更に含むことを特徴とする請求項１に記載の方法。
【請求項３】
トリガ情報（３３０）を読み出す前記ステップは、
前記被管理ノード（１２０）が即時に動作可能化されるように指示する属性（５１０）を読み出すステップ、
前記被管理ノード（１２０）が動作可能化される前に手動入力を待機するように指示する属性（５２０）を読み出すステップ、
前記被管理ノード（１２０）が動作可能化される前に特定の時間だけ待機するように指示する属性（５３０）を読み出すステップ、
前記被管理ノード（１２０）が動作可能化される前にコマンドを待機するように指示する属性（５４０）を読み出すステップ、
の少なくとも１つを含むことを特徴とする請求項２に記載の方法。
【請求項４】
フェッチ要求（３２０）を受信する前記ステップは、
前記フェッチ要求（３２０）を介して、前記被管理ノード（１２０）を識別するパラメータ（４００）を受信するステップと、
前記フェッチ要求（３２０）を介して、前記被管理ノード（１２０）と関連する動作状態の要求を提供するパラメータ（４１０）を受信するステップと、
を含むことを特徴とする請求項１に記載の方法。
【請求項５】
前記フェッチ要求（３２０）に基づいて動作可能化命令を読み出すステップと、
前記被管理ノード（１２０）を即時に動作可能化し該被管理ノード（１２０）が前記ネットワーク（１００）からのトラフィック（３６０）を受信出来るようにするための前記動作可能化命令を前記被管理ノード（１２０）に提供するステップと、
を更に含むことを特徴とする請求項１に記載の方法。
【請求項６】
前記動作可能化命令は前記トリガ情報（３３０）によって提供された前記１以上の条件を無効化することを特徴とする請求項５に記載の方法。
【請求項７】
動作可能化命令を読み出す前記ステップは、
前記動作可能化命令に関連するドメインマネージャ（１１０）を識別するパラメータ（６００）を読み出すステップ、
前記被管理ノード（１２０）に該被管理ノード（１２０）に関連する前記動作状態（３５０）に関する指標を提供させるパラメータ（４１０）を読み出すステップ、
の少なくとも１つを含むことを特徴とする請求項５に記載の方法。
【請求項８】
前記被管理ノード（１２０）に関連し、前記被管理ノード（１２０）を識別し認証するためのメカニズムを提供する登録情報（３１０）を受信するステップを更に含むことを特徴とする請求項１に記載の方法。
【請求項９】
ネットワーク（１００）に関連する、自己組織化ネットワーク（ＳＯＮ）ベースの被管理ノードである装置（１２０）によって実行される方法であって、
前記ネットワーク（１００）に接続しているドメインマネージャ（１１０）にフェッチ要求（３２０）を提供するステップと、
前記装置（１２０）が自らを構成し動作を開始することになる１以上の条件を指定するトリガ情報（３３０）を前記ドメインマネージャ（１１０）から受信するステップと、
前記トリガ情報（３３０）により指定された前記１以上の条件に基づいて前記装置（１２０）が動作可能化された場合、前記ネットワーク（１００）からトラフィック（３６０）を受信するステップと、
を含むことを特徴とする方法。
【請求項１０】
前記装置に関連し、前記ドメインマネージャ（１１０）による前記装置（１２０）の識別及び認証を可能にする登録情報（３１０）を提供するステップを更に含むことを特徴とする請求項９に記載の方法。
【請求項１１】
ネットワーク（１００）と関連する装置（１１０）であって、
前記ネットワーク（１００）に接続する自己組織化ネットワーク（ＳＯＮ）ベースの被管理ノード（１２０）に関連し、該被管理ノード（１２０）を識別し認証するためのメカニズムを提供する登録情報（３１０）を受信し、
前記被管理ノード（１２０）からフェッチ要求（３２０）を受信し、
前記受信したフェッチ要求（３２０）に基づいて、前記被管理ノード（１２０）が自らを構成し動作を開始することになる１以上の条件を指定するトリガ情報（３３０）を前記被管理ノード（１２０）に提供し、
前記トリガ情報（３３０）に基づいて、前記被管理ノード（１２０）に関連する動作状態（３５０）を受信する、
処理ロジック（２０５）を含むことを特徴とする装置。
【請求項１２】
前記装置（１１０）は、ドメインマネージャを含むことを特徴とする請求項１１に記載の装置。
【請求項１３】
前記トリガ情報（３３０）は、前記被管理ノード（１２０）がいつ動作可能化されるかを指定する事前計画構成の一部を含むことを特徴とする請求項１１に記載の装置。
【請求項１４】
前記処理ロジック（２０５）は、前記フェッチ要求（３２０）に基づいて前記トリガ情報（３３０）を読み出すよう更に構成されることを特徴とする請求項１１に記載の装置。
【請求項１５】
ネットワーク（１００）に関連する、自己組織化ネットワーク（ＳＯＮ）ベースの被管理ノードである装置（１２０）であって、
前記装置（１２０）に関連し、ドメインマネージャ（１１０）による前記装置（１２０）の識別及び認証を可能にする登録情報（３１０）を提供し、
前記ドメインマネージャ（１１０）にフェッチ要求（３２０）を提供し、
前記装置（１２０）が自らを構成し動作を開始することになる少なくとも１つの条件を指定するトリガ情報（３３０）を前記ドメインマネージャ（１１０）から受信し、
前記トリガ情報（３３０）により指定された前記少なくとも１つの条件に基づいて前記装置（１２０）が動作可能化された場合、前記ネットワーク（１００）からトラフィック（３６０）を受信する、
処理ロジック（２４０）を含むことを特徴とする装置。
【発明の詳細な説明】
【技術分野】
【０００１】
本明細書に記載する実施形態は広く通信システムに関し、より詳細には通信システムに設置する被管理ノードの初期動作状態の提供に関する。
【背景技術】
【０００２】
自己組織化ネットワーク（ＳＯＮ）は自己構成、自己検出および／または自己組織化の機構を提供することができる。自己構成および自己検出はＳＯＮネットワーク装置が通常のユーザ（例えば、ネットワークオペレータおよび監督者）に対し透明であることを可能にする。自己組織化は動的ネットワークトポロジーの変化およびリンク切断中のＳＯＮの強靱性を保証する。自己組織化はまた最適かつ能率的帯域幅利用をも保証する。
【０００３】
ＳＯＮで使用する一装置は被管理ノード（例えば、無線基地局）である。自己組織化は被管理ノードが自らを構成し、動作を開始する（例えば、外部エンティティによる多くのガイドまたは管理によらずユーザトラフィックを運ぶ）ことを可能にすることができる。近年、自己組織化は大きな通信システムの管理で使用されている。大きな通信システムの管理における自己組織化の必要性はネットワーク管理コストを削減するネットワークオペレータの目標から生じる。自己組織化は被管理ノードがネットワークオペレータの多くのガイドによらずに自らを管理することを可能にするので、今日の大きくかつ動的通信システムの管理に対するネットワークオペレータの目標の達成に、ＳＯＮは魅力的な機構である。
【０００４】
ＳＯＮベース被管理ノードには幾つかの不都合がある。例えばＳＯＮベース被管理ノードを設置する（例えば、ネットワークに接続し、使用を開始する）と、被管理ノードは動作およびユーザトラフィックの搬送を開始することができる。しかしながらＳＯＮベース被管理ノードに関連する設置時期をネットワークオペレータが予測することができないのは、設置を概して被管理ノードのユーザがその都合に応じ、ネットワークオペレータの計画によらずに実施するからである。ネットワークオペレータの観点から、ＳＯＮベース被管理ノードの設置時期は被管理ノードがユーザトラフィックを搬送するのに好都合な時期でないことがある。さらにその上ＳＯＮベース被管理ノードを設置する場合、ネットワークの運用・管理（ＯＡＭ）システム（例えば、ドメインマネージャ）との（例えば、特定を目的とする）対話を被管理ノードはサポートすることができない。  
【発明の概要】
【０００５】
本発明の目的は少なくとも幾つかの上記の不都合を克服し、通信システムに設置する被管理ノードの初期動作状態を提供することである。
【０００６】
本明細書に記載する実施形態は被管理ノード（例えば、無線基地局のようなネットワーク装置）の初期動作状態を提供するシステムおよび／または方法を含むことができる。例えば一実施形態では、本システムおよび／または方法は１つ以上の被管理ノードおよび／またはリンクを管理するドメインマネージャを含む被管理ネットワーク（例えば、ＳＯＮ）を含むことができる。ネットワークオペレータは被管理ネットワークの構成を計画することができる（例えば無線ネットワークの管理では、ネットワークオペレータは被管理ノードに関連する構成情報を把握する「事前計画」を準備することができる。このような事前計画はドメインマネージャが提供し、実装することができる。ドメインマネージャが実装する事前計画は被管理ノード（例えば、ＳＯＮベース被管理ノード）がユーザトラフィックを搬送する動作（例えば、動作可能）状態に入るべき起動時期を示すパラメータ（または命令）を含むことができる。
【０００７】
一実施形態では被管理ノードを被管理ネットワークに設置する場合、被管理ノードはたとえ動作状態に入ることが可能であっても、動作状態には入らなくてもよい。代わりにドメインマネージャが提供するパラメータに基づき、被管理ノードは動作不能動作状態に留まることができる。被管理ノードの設置時期を予測し、被管理ノードとの対話を開始することができない現行通信システムと異なり、本明細書に記載する実施形態はドメインマネージャが（例えば、被管理ノードの動作を可能にする前に）被管理ノードとの対話を開始し、被管理ノードが動作状態になる時期を判断することを可能にすることができる。
【０００８】
例示的実施形態では本明細書に記載するシステムおよび／または方法は被管理ノードに関連する登録情報を受信することができ、被管理ノードからフェッチ要求を受信することができる。本システムおよび／または方法はフェッチ要求に基づきトリガ情報（例えば、被管理ノードが動作状態に入ることができる条件または起動リスト）を検索することができる、および／またはフェッチ要求に基づき動作可能化命令を検索することができる。本システムおよび／または方法はトリガ情報および／または動作可能化命令を被管理ノードに提供することができ、トリガ情報および／または動作可能化命令に基づき被管理ノードの動作状態（例えば、動作可能、動作不能など）を特定する情報を受信することができる。
【図面の簡単な説明】
【０００９】
【図１】本明細書に記載するシステムおよび／または方法を実装することができる例示的ネットワークを示す図である。
【図２Ａ】図１に示すネットワークのドメインマネージャの例示的構成要素を示す図である。
【図２Ｂ】図１に示すネットワークの被管理ノードの例示的構成要素を示す図である。
【図３】図１に示すネットワークの例示部分およびネットワーク部分の構成要素間の例示的相互動作を示す図である。
【図４】図１に示すネットワークの被管理ノードが提供することができるフェッチ要求の例示的要素を示す図である。
【図５】図１に示すネットワークのドメインマネージャが提供することができるトリガ情報の例示的要素を示す図である。
【図６】図１に示すネットワークのドメインマネージャが提供することができる動作可能化命令の例示的要素を示す図である。
【図７】本明細書に記載する実施形態による被管理ノードの初期動作状態を提供する例示的処理のフローチャートである。
【図８】本明細書に記載する実施形態による被管理ノードの初期動作状態を提供する例示的処理のフローチャートである。
【図９】本明細書に記載する実施形態による被管理ノードの初期動作状態を提供する例示的処理のフローチャートである。
【図１０】本明細書に記載する実施形態による被管理ノードの初期動作状態を提供する例示的処理のフローチャートである。
【図１１】本明細書に記載する実施形態による被管理ノードの初期動作状態を提供する例示的処理のフローチャートである。
【図１２】本明細書に記載する実施形態による被管理ノードの初期動作状態を提供する例示的処理のフローチャートである。
【図１３】本明細書に記載する実施形態による被管理ノードの初期動作状態を提供する例示的処理のフローチャートである。
【図１４】本明細書に記載する実施形態による被管理ノードの初期動作状態を提供する例示的処理のフローチャートである。
【発明を実施するための形態】
【００１０】
以下の詳細な説明では添付図面を参照する。異なる図面における同じ参照番号により同じかまたは類似する要素を同一視することができる。また以下の詳細な説明は本発明を制限しない。
【００１１】
本明細書に記載する実施形態は被管理ノードの初期動作状態を提供するシステムおよび／または方法を含むことができ、従ってドメインマネージャは（例えば、被管理ノードの動作を可能にする前に）被管理ノードとの対話を開始することができ、被管理ノードが動作状態になる時期を判断することができる。
【００１２】
図１は本明細書に記載するシステムおよび／または方法を実装することができる例示的ネットワーク１００の図を示す。図示するように、ネットワーク１００はネットワーク１３０により相互接続するドメインマネージャ１１０および被管理ノード１２０を含むことができる。ドメインマネージャ１１０および被管理ノード１２０は有線および／または無線接続によりネットワーク１３０に接続することができる。明快さのため、単一のドメインマネージャ、被管理ノードおよびネットワークを図１に示している。実際には、さらに多くのドメインマネージャ、被管理ノードおよび／またはネットワークが存在しうる。また幾つかの実例では、ネットワーク１００の構成要素（例えば、１つ以上のドメインマネージャ１１０および／または被管理ノード１２０）はネットワーク１００の別の構成要素または構成要素グループにより実行するように説明する１つ以上の機能を実行することができる。
【００１３】
ドメインマネージャ１１０は１つ以上のサーバエンティティ、または他のタイプの計算または通信装置を含むことができ、これらのエンティティまたは装置は本明細書に記載する様式で情報を収集、処理、探索および／または提供する。例えばドメインマネージャ１１０が含むことができるのは、コンピュータ、プロキシサーバ、コンピュータシステム（例えば、動作および保守システム、ネットワーク管理システム、企業管理システムなど）、別のタイプの計算または通信装置、これらの装置の１つで動作するスレッド即ち処理、および／またはこれらの装置の１つにより実行可能なオブジェクトである。一実施形態では、ドメインマネージャ１１０はネットワーク要素（例えば、被管理ノード１２０）を監視することができ、障害の根源を正確に指摘することができ、他の関係するネットワーク要素などへの障害の影響を診断することができる。
【００１４】
被管理ノード１２０はネットワーク１００に関連するトラフィックを受信することができ、ドメインマネージャ１１０により監視および／または管理することができる任意の装置を含むことができる。例えば被管理ノード１２０が含むことができるのは、コンピュータ、ルータ、スイッチ、ネットワーク・インタフェース・カード（ＮＩＣ）、ハブ、ブリッジ、ゲートウェイ、ファイアウォール、光アッド・ドロップマルチプレクサ（ＯＡＤＭ）、セル電話機、無線基地局、セット・トップ・ボックス（ＳＴＢ）、トラフィックを処理および／または伝送する幾つかの他のタイプの装置、別のタイプの計算または通信装置、これらの装置の１つで動作するスレッド即ち処理、および／またはこれらの装置の１つにより実行可能なオブジェクトである。一実施形態では、被管理ノード１２０は通信ネットワークノードを含むことができる。
【００１５】
本明細書で使用する場合、用語「トラフィック」は通信システムなどの動作、管理、保守、設備などに関連する情報のようなネットワーク１００および／またはネットワーク１００の任意の構成要素（例えば、被管理ノード１２０）により生成および／または受信することができる任意の情報を含むように広く解釈すべきである。
【００１６】
ネットワーク１３０が含むことができるのは、ローカル・エリア・ネットワーク（ＬＡＮ）、ワイドエリアネットワーク（ＷＡＮ）、メトロポリタン・エリア・ネットワーク（ＭＡＮ）、イントラネット、インターネット、公衆地上移動ネットワーク（ＰＬＭＮ）、公衆交換電話ネットワーク（ＰＳＴＮ）またはセルラー電話ネットワークのような電話ネットワークまたはネットワークの組み合わせである。一例示的実施形態では、ネットワーク１３０は自己組織化ネットワーク（ＳＯＮ）、ＳＯＮベース通信ネットワークなどを含むことができる。
【００１７】
図２Ａはドメインマネージャ１１０に相当することができる装置の例示図である。図示するように、ドメインマネージャ１１０が含みうるのは、バス２００、処理ロジック２０５、主メモリ２１０、読み出し専用メモリ（ＲＯＭ）２１５、蓄積装置２２０、入力装置２２５、出力装置２３０、および／または通信インタフェース２３５である。バス２００はドメインマネージャ１１０の構成要素間の通信を可能にする経路を含むことができる。
【００１８】
処理ロジック２０５はプロセッサ、マイクロプロセッサまたは命令を解釈し、実行することができる他のタイプの処理ロジックを含むことができる。主メモリ２１０は情報および処理ロジック２０５により実行する命令を蓄積することができるランダム・アクセス・メモリ（ＲＡＭ）または別のタイプの動的蓄積装置を含むことができる。ＲＯＭ２１５は処理ロジック２０５により使用する静的情報および／または命令を蓄積することができるＲＯＭ装置または別のタイプの静的蓄積装置を含むことができる。蓄積装置２２０は磁気的および／または光学的記録媒体およびその対応ドライブを含むことができる。
【００１９】
入力装置２２５はキーボード、マウス、ペン、マイクロフォン、音声認識および／またはバイオメートリック機構などのようなドメインマネージャ１１０にオペレータが情報を入力することを可能にする機構を含むことができる。出力装置２３０はディスプレイ、プリンタ、スピーカなどを含むオペレータに情報を出力する機構を含むことができる。通信インタフェース２３５はドメインマネージャ１１０が他の装置および／またはシステムと通信することを可能にする任意の通信機と同類の機構を含むことができる。例えば通信インタフェース２３５はネットワーク１３０のようなネットワークを介して別の装置またはシステムと通信する機構を含むことができる。
【００２０】
本明細書に記載するように主メモリ２１０のようなコンピュータ可読媒体に含むソフトウェア命令を実行する処理ロジック２０５に応じて、ドメインマネージャ１１０は一定の動作を実行することができる。コンピュータ可読媒体は物理的または論理的メモリ装置として定義することができる。蓄積装置２２０のような別のコンピュータ可読媒体から、または通信インタフェース２３５を介して別の装置から、ソフトウェア命令を主メモリ２１０に読み込むことができる。主メモリ２１０に含むソフトウェア命令は処理ロジック２０５が本明細書に記載する処理を実行するようにすることができる。あるいはソフトウェア命令の代わりにまたはソフトウェア命令と組み合わせて、ハード結線回路を使用して、本明細書に記載する処理を実装することができる。従って、本明細書に記載する実装はハードウェア回路とソフトウェアのあらゆる特定の組み合わせに限定しない。
【００２１】
図２Ａはドメインマネージャ１１０の例示的構成要素を示すが、他の実装ではドメインマネージャ１１０は幾つかの図２Ａに示すのとは異なるか、または追加の構成要素を含むことができる。さらに他の実装では、ドメインマネージャ１１０の１つ以上の構成要素はドメインマネージャ１１０の１つ以上の他の構成要素により実行するように説明する１つ以上のタスクを実行することができる。
【００２２】
図２Ｂは被管理ノード１２０に相当することができる装置の例示図である。図示するように、被管理ノード１２０は処理ロジック２４０、メモリ２４５、通信インタフェース２５０および／またはアンテナアセンブリ２５５を含むことができる。
【００２３】
処理ロジック２４０が含むことができるのは、プロセッサ、マイクロプロセッサ、特定用途向け集積回路（ＡＳＩＣ）、フィールド・プログラマブル・ゲート・アレイ（ＦＰＧＡ）または同類である。処理ロジック２４０は被管理ノード１２０およびその構成要素の動作を制御することができる。
【００２４】
メモリ２４５はランダム・アクセス・メモリ（ＲＡＭ）、読み出し専用メモリ（ＲＯＭ）、および／または処理ロジック２４０が使用することのできるデータおよび命令を蓄積する別のタイプのメモリを含むことができる。
【００２５】
通信インタフェース２５０は被管理ノード１２０が他の装置および／またはシステムと通信することを可能にする任意の通信機と同類の機構を含むことができる。通信インタフェース２５０は例えば、処理ロジック２４０からのベースバンド信号を無線周波数（ＲＦ）信号に変換することができる送信機および／またはＲＦ信号をベースバンド信号に変換することができる受信機を含むことができる。あるいは、通信インタフェース２５０は送信機および受信機双方の機能を実行する通信機を含むことができる。通信インタフェース２５０はＲＦ信号を送信および／または受信するアンテナアセンブリ２５５に接続することができる。
【００２６】
アンテナアセンブリ２５５は大気を経て信号（例えば、ＲＦ信号）を送信および／または受信する１つ以上のアンテナを含むことができる。アンテナアセンブリ２５５は例えば、通信インタフェース２５０からＲＦ信号を受信し、大気を経てＲＦ信号を送信し、大気を経てＲＦ信号を受信し、ＲＦ信号を通信インタフェース２５０に供給することができる。一例示的実施形態では例えば、通信インタフェース２５０はネットワーク（例えば、ネットワーク１３０）を介して通信することができる。あるいはおよび／またはさらに、アンテナアセンブリ２５５は省略することができ、通信インタフェース２５０は１つ以上の物理的リンクを介してネットワーク（例えば、ネットワーク１００）と通信することができる。
【００２７】
本明細書に記載するようにメモリ２４５のようなコンピュータ可読媒体に含むソフトウェア命令を実行する処理ロジック２４０に応じて、被管理ノード１２０は一定の動作を実行することができる。コンピュータ可読媒体は物理的または論理的メモリ装置として定義することができる。別のコンピュータ可読媒体からまたは通信インタフェース２５０を介して別の装置から、ソフトウェア命令をメモリ２４５に読み込むことができる。メモリ２４５に含むソフトウェア命令は処理ロジック２４０が本明細書に記載する処理を実行するようにすることができる。あるいはソフトウェア命令の代わりにまたはソフトウェア命令と組み合わせて、ハード結線回路を使用して、本明細書に記載する処理を実装することができる。従って、本明細書に記載する実施形態はハードウェア回路とソフトウェアのあらゆる特定の組み合わせに限定しない。
【００２８】
図２Ｂは被管理ノード１２０の例示的構成要素を示すが、他の実施形態では被管理ノード１２０は幾つかの図２Ｂに示すのとは異なるか、または追加の構成要素を含むことができる。さらに他の実施形態では、被管理ノード１２０の１つ以上の構成要素は被管理ノード１２０の１つ以上の他の構成要素により実行するように説明する１つ以上のタスクを実行することができる。
【００２９】
図３はネットワーク１００の例示部３００の図およびネットワーク部３００の構成要素間の例示的相互動作を示す。図示するように、ネットワーク部３００はドメインマネージャ１１０および被管理ノード１２０を含むことができる。ドメインマネージャ１１０および被管理ノード１２０は、例えば図１に関して以上で説明する特徴を含むことができる。
【００３０】
図３に示すように、被管理ノード１２０は登録情報３１０をドメインマネージャ１１０に提供することができる。登録情報３１０は被管理ノード１２０を特定する情報、被管理ノード１２０の（例えば、ネットワーク１００への）接続に関する情報、認証情報などを含むことができる。ドメインマネージャ１１０は登録情報３１０を受信することができ、登録情報３１０に基づき被管理ノード１２０の特定、認証などを行うことができる。被管理ノード１２０はフェッチ要求３２０をドメインマネージャ１１０に提供することができる。フェッチ要求３２０は被管理ノード１２０を特定する情報、被管理ノード１２０の動作状態を特定する情報、被管理ノード１２０の初期動作状態を要求する情報などを含むことができる。フェッチ要求３２０のさらに詳細を例えば図４に関して以下に提供する。
【００３１】
ドメインマネージャ１１０はフェッチ要求３２０を受信することができ、フェッチ要求３２０に基づき蓄積装置（例えば、蓄積装置２２０）からトリガ情報３３０を検索することができる。トリガ情報３３０は被管理ノード１２０が動作状態（例えば、動作可能、動作不能など）に入ることができる条件を指定する情報を含むことができる。トリガ情報３３０のさらに詳細を例えば図５に関して以下に提供する。あるいはおよび／またはさらに、ドメインマネージャ１１０はフェッチ要求３２０に基づき蓄積装置（例えば、蓄積装置２２０）から動作可能化命令３４０を検索することができる。動作可能化命令３４０は被管理ノード１２０の状態を動作可能（例えば、被管理ノード１２０がトラフィックの送信／受信を為しうる）状態に変更する情報を含むことができる。動作可能化命令３４０のさらに詳細を例えば図６に関して以下に提供する。ドメインマネージャ１１０はトリガ情報３３０および／または動作可能化命令３４０を被管理ノード１２０に提供することができる。
【００３２】
図３にさらに示すように、被管理ノード１２０はトリガ情報３３０および／または動作可能化命令３４０を受信することができ、トリガ情報３３０および／または動作可能化命令３４０に基づきその動作状態３５０（例えば、被管理ノード１２０が動作可能、動作不能などであるか）を判断することができる。例えば一実施形態で、被管理ノード１２０はその動作状態がトリガ情報３３０（および／または動作可能化命令３４０）から動作可能であることを判断することができる。被管理ノード１２０は動作状態３５０をドメインマネージャ１１０に提供することができ、ドメインマネージャ１１０は動作状態３５０を受信することができる。被管理ノード１２０の動作状態を動作可能にすると、被管理ノード１２０はトラフィック３６０を（例えば、ネットワーク１００を介して）送信および／または受信することができる。
【００３３】
図３はネットワーク部３００の例示的構成要素を示すが、他の実施形態ではネットワーク部３００は幾つかの図３に示すのとは異なるか、または追加の構成要素を含むことができる。さらに他の実施形態では、ネットワーク部３００の１つ以上の構成要素はネットワーク部３００の１つ以上の他の構成要素により実行するように説明する１つ以上のタスクを実行することができる。
【００３４】
図４はフェッチ要求３２０の例示的要素図を示す。一実施形態では、フェッチ要求３２０は被管理装置（例えば、被管理ノード１２０）により提供することができる。別の実施形態では、フェッチ要求３２０は被管理ノード１２０とは別の、または被管理ノード１２０に追加する被管理装置（例えば、他の被管理ノード）により提供することができる。図示するように、フェッチ要求３２０は被管理ノード識別子パラメータ４００、被管理ノード動作状態パラメータ４１０および／またはトリガ情報パラメータ４２０を含むことができる。一実施形態で被管理ノード１２０が動作可能状態に入る準備が整うと、被管理ノード１２０はフェッチ要求３２０を生成することができる。
【００３５】
被管理ノード識別子パラメータ４００はトリガ情報（例えばトリガ情報３３０）を要求する被管理ノード（例えば、被管理ノード１２０）を特定する情報を含むことができる。例えば一実施形態で、被管理ノード識別子パラメータ４００は被管理ノード１２０に関連する識別子（例えば、アドレス）を含むことができる。
【００３６】
被管理ノード動作状態パラメータ４１０は被管理ノード１２０に関連する動作状態を特定する情報を含むことができる。例えば一実施形態で、被管理ノード動作状態パラメータ４１０は被管理ノード１２０に関連する動作可能または動作不能状態を含むことができる。
【００３７】
トリガ情報パラメータ４２０はドメインマネージャ１１０がトリガ情報（例えば、トリガ情報３３０）を被管理ノード１２０に提供するようにする出力パラメータを含むことができる。例えば一実施形態で、トリガ情報パラメータ４２０はドメインマネージャ１１０が例えば図５に関して以下で説明するトリガ情報３３０を提供するようにすることができる。
【００３８】
一例示的実施形態で、フェッチ要求３２０は以下のフォーマットを含み得る：
fetchTriggerInfo(managedNodeId, managedNodeOperationalState) : triggerInfo
ここで、managedNodeIdは、被管理ノード識別子パラメータ４００に対応し、managedNodeOperationalStateは、被管理ノード動作状態パラメータ４１０に対応し、triggerInfoは、トリガ情報パラメータ４２０に対応し得る。被管理ノード１２０はフェッチ要求３２０をドメインマネージャ１１０に提供することができ、ドメインマネージャ１１０はフェッチ要求３２０に基づき被管理ノード１２０およびその動作状態を特定することができる。トリガ情報パラメータ４２０の受信に応じて、ドメインマネージャ１１０はトリガ情報３３０を被管理ノード１２０に提供することができる。
【００３９】
図４はフェッチ要求３２０の例示的要素を示すが、他の実施形態ではフェッチ要求３２０は幾つかの図４に示すのとは異なるか、または追加の要素を含むことができる。
【００４０】
図５はトリガ情報３３０の例示的要素図を示す。一実施形態では、管理装置（例えば、ドメインマネージャ１１０）によりトリガ情報３３０を提供することができる。別の実施形態では、ドメインマネージャ１１０とは別の、またはドメインマネージャ１１０に追加する管理装置（例えば、他のドメインマネージャ）により、トリガ情報３３０を提供することができる。一例示的実施形態では、トリガ情報３３０はネットワークオペレータにより（例えば、事前計画構成の一部として）準備することができ、ドメインマネージャ１１０により（例えば、蓄積装置２２０に）蓄積および／または維持することができる。
【００４１】
図５に示すように、トリガ情報３３０は被管理ノード識別子属性５００および起動条件グループ（例えば、即時動作可能化属性５１０、手動入力待機属性５２０、日付／時間待機属性５３０およびコマンド待機属性５４０）を含むことができる。４つの起動条件を図５に示すが、他の実施形態ではトリガ情報３３０は多かれ少なかれ起動条件を含むことができる。一実施形態ではトリガ情報３３０の一部として１つ以上の起動条件を被管理ノード１２０に対し指定することができる。複数起動条件を使用すれば、最も早く達成することができる起動条件を被管理ノード１２０により使用することができ、被管理ノード１２０は他の起動条件を無視することができる。
【００４２】
被管理ノード識別子属性５００はトリガ情報３３０を受信する１つ以上の被管理ノード（例えば、被管理ノード１２０）を特定する情報を含むことができる。例えば一実施形態では、被管理ノード識別子属性５００は被管理ノード１２０に関連する識別子（例えば、アドレス）を含むことができる。
【００４３】
即時動作可能化属性５１０は被管理ノード１２０に動作可能状態に直ちに入るように指令することができる情報（例えば、起動条件）を含むことができる。例えば一実施形態では、即時動作可能化属性５１０は被管理ノード１２０に動作可能状態に直ちに入るように指令しても、しなくても良いブーリアン（例えば、イエスまたはノー）コマンドを含むことができる。
【００４４】
手動入力待機属性５２０は被管理ノード１２０に動作可能状態に入る前に（例えば、被管理ノードのユーザからの）手動命令を待つように指令することができる情報（例えば、起動条件）を含むことができる。例えば一実施形態では、手動入力待機属性５２０は被管理ノード１２０に動作可能状態に入る前に手動命令を待つように指令しても、しなくても良いブーリアン（例えば、イエスまたはノー）コマンドを含むことができる。
【００４５】
日付／時間待機属性５３０は被管理ノード１２０が動作可能状態に入る（例えば、トラフィックを送信／受信する）ことができる日付および／または時間を指示することができる情報（例えば、起動条件）を含むことができる。
【００４６】
コマンド待機属性５４０は被管理ノード１２０に動作可能状態に入る前に（例えば、ドメインマネージャ１１０からの）命令を待つように指令することができる情報（例えば、起動条件）を含むことができる。例えば一実施形態では、コマンド待機属性５４０は被管理ノード１２０に動作可能状態に入る前にドメインマネージャ１１０からの命令を待つように指令しても、しなくても良いブーリアン（例えば、イエスまたはノー）コマンドを含むことができる。被管理ノード１２０に動作可能状態に入る前に（例えば、被管理ノードのユーザからの）手動入力を待つように指令することができる手動入力待機属性５２０と対比して、コマンド待機属性５４０は被管理ノード１２０に動作可能状態に入る前にドメインマネージャ１１０からのコマンドを待つように指令することができる。
【００４７】
一例示的実施形態では、トリガ情報３３０は以下のフォーマットを含み得る：
managedNodeIds : String = "xyz"  （被管理ノード１２０を表す）
enableNow : Boolean = No
waitManualInput : Boolean = No
waitDateAndTime : DateAndTime = June 30, 2008, 10:00AM
waitDMCommand : Boolean = Yes
ここで、managedNodeIdsは、被管理ノード識別子属性５００に対応し、enableNowは、即時動作可能化属性５１０に対応し、waitManualInputは、手動入力待機属性５２０に対応し、waitDateAndTimeは、日付／時間待機属性５３０に対応し、waitDMCommandは、コマンド待機属性５４０に対応し得る。ドメインマネージャ１１０はトリガ情報３３０を被管理ノード１２０に提供することができ、被管理ノード１２０はトリガ情報３３０に基づきその動作状態を判断（し、例えばその動作状態をドメインマネージャ１１０に提供）することができる。例えば一実施形態では、即時動作可能化属性５１０、手動入力待機属性５２０、日付／時間待機属性５３０および／またはコマンド待機属性５４０により指定する１つ以上の起動条件に基づき、被管理ノード１２０を動作可能にすることができる。
【００４８】
図５はトリガ情報３３０の例示的要素を示すが、他の実施形態ではトリガ情報３３０は図５に示すのとは異なるか、または追加の要素を含むことができる。
【００４９】
図６は動作可能化命令３４０の例示的要素図を示す。一実施形態では、動作可能化命令３４０は管理装置（例えば、ドメインマネージャ１１０）により提供することができる。別の実施形態では、ドメインマネージャ１１０とは別のまたはドメインマネージャ１１０に追加する管理装置（例えば、他のドメインマネージャ）により動作可能化命令３４０を提供することができる。一例示的実施形態では、動作可能化命令３４０はドメインマネージャ１１０により（例えば、蓄積装置２２０に）蓄積および／または維持することができる。トリガ情報３３０により提供する起動条件に関わらず、動作可能化命令３４０は被管理ノード１２０の動作状態を動作可能状態に直ちに変更することができる。図６に示すように、動作可能化命令３４０はドメインマネージャ識別子パラメータ６００、結果パラメータ６１０および／または理由パラメータ６２０を含むことができる。
【００５０】
ドメインマネージャ識別子パラメータ６００は動作可能化命令３４０を提供する管理装置（例えば、ドメインマネージャ１１０）を特定する情報を含むことができる。例えば一実施形態では、ドメインマネージャ識別子パラメータ６００は動作可能化命令を提供する装置としてドメインマネージャ１１０を特定する情報を含むことができる。
【００５１】
結果パラメータ６１０は被管理装置（例えば、被管理ノード１２０）に実装する動作が成功（例えば、被管理ノード１２０の動作状態が動作可能である）か、または成功でないか（例えば、被管理ノード１２０の動作状態が動作不能である）を示す出力パラメータを含むことができる。例えば一実施形態では、結果パラメータ６１０は被管理ノード１２０が被管理ノード１２０の動作状態に関する指示（例えば、動作可能または不能）を提供するようにすることができる。
【００５２】
理由パラメータ６２０は被管理装置（例えば、被管理ノード１２０）の動作状態が残留するか、または動作不能状態に入るべきかの理由を提供する出力パラメータを含むことができる。例えば一実施形態では、理由パラメータ６２０は被管理ノード１２０が動作不能状態に留まり、ネットワークトラフィックの被管理ノード１２０への送信および／または被管理ノード１２０による受信を防止すべきことを指示することができる。
【００５３】
一例示的実施形態では、動作可能化命令３４０は以下のフォーマットを含み得る：
enable(dMId) : result, reason
ここで、dMIdは、ドメインマネージャ識別子パラメータ６００に対応し、resultは、結果パラメータ６１０に対応し、reasonは、理由パラメータ６２０に対応し得る。ドメインマネージャ１１０は動作可能化命令３４０を被管理ノード１２０に提供することができ、トリガ情報３３０により提供される起動状態に関わらず動作可能化命令３４０に基づき、被管理ノード１２０はその動作状態を動作可能状態に直ちに変更することができる。
【００５４】
図６は動作可能化命令３４０の例示的要素を示すが、他の実施形態では動作可能化命令３４０は幾つかの図６に示すのとは異なるか、または追加の要素を含むことができる。
【００５５】
図７〜図１０は本明細書に記載する実施形態による被管理ノードの初期動作状態を提供する例示的処理フローチャートを示す。一実施形態では、ドメインマネージャ１１０のハードウェアおよび／またはソフトウェア構成要素により、処理７００を実行することができる。他の実施形態では別の装置または装置グループの（例えば、ドメインマネージャ１１０と通信する）ハードウェアおよび／またはソフトウェア構成要素と組み合わせてドメインマネージャ１１０のハードウェアおよび／またはソフトウェア構成要素により、処理７００を実行することができる。
【００５６】
図７に示すように、被管理ノードに関連する登録情報の受信（ブロック７１０）および被管理ノードからのフェッチ要求の受信（ブロック７２０）により、処理７００はスタートすることができる。例えば図３に関して以上で説明する実施形態では、被管理ノード１２０は登録情報３１０をドメインマネージャ１１０に提供することができる。登録情報３１０は被管理ノード１２０を特定する情報、被管理ノード１２０の（例えば、ネットワーク１００への）接続に関する情報、認証情報などを含むことができる。ドメインマネージャ１１０は登録情報３１０を受信することができ、登録情報３１０に基づき被管理ノード１２０の特定、認証などを行うことができる。被管理ノード１２０はフェッチ要求３２０をドメインマネージャ１１０に提供することができる。フェッチ要求３２０は被管理ノード１２０を特定する情報、被管理ノード１２０の動作状態を特定する情報、被管理ノード１２０の初期動作状態を要求する情報などを含むことができる。ドメインマネージャ１１０はフェッチ要求３２０を受信することができる。
【００５７】
図７に戻り、トリガ情報はフェッチ要求に基づき検索することができる（ブロック７３０）、および／または動作可能化命令はフェッチ要求に基づき検索することができる（ブロック７４０）。例えば図３に関して以上で説明する実施形態では、ドメインマネージャ１１０はフェッチ要求３２０に基づき蓄積装置（例えば、蓄積装置２２０）からトリガ情報３３０を検索することができる。トリガ情報３３０は被管理ノード１２０が動作状態（例えば、動作可能、動作不能など）に入ることができる条件を指定する情報を含むことができる。あるいはおよび／またはさらに、ドメインマネージャ１１０はフェッチ要求３２０に基づき蓄積装置（例えば、蓄積装置２２０）から動作可能化命令３４０を検索することができる。動作可能化命令３４０は被管理ノード１２０の状態を動作可能状態に変更する情報を含むことができる。
【００５８】
図７にさらに示すように、トリガ情報および／または動作可能化命令は被管理ノードに提供することができ（ブロック７５０）、被管理ノードの動作状態はトリガ情報および／または動作可能化命令に基づき受信することができる（ブロック７６０）。例えば図３に関して以上で説明する実施形態では、ドメインマネージャ１１０はトリガ情報３３０および／または動作可能化命令３４０を被管理ノード１２０に提供することができる。被管理ノード１２０はトリガ情報３３０および／または動作可能化命令３４０を受信することができ、トリガ情報３３０および／または動作可能化命令３４０に基づきその動作状態を変更することができ、トリガ情報３３０および／または動作可能化命令３４０に基づきその動作状態３５０（例えば、被管理ノード１２０が動作可能、動作不能などであるか）を判断することができる。一例ではトリガ情報３３０（および／または動作可能化命令３４０）から、被管理ノード１２０はその動作状態が動作可能であることを判断することができる。被管理ノード１２０は動作状態３５０をドメインマネージャ１１０に提供することができ、ドメインマネージャ１１０は動作状態３５０を受信することができる。
【００５９】
処理ブロック７２０は図８に示す処理ブロックを含むことができる。図８に示すように、処理ブロック７２０はフェッチ要求により被管理ノード識別子パラメータを受信するステップ（ブロック８００）、フェッチ要求により被管理ノード動作状態パラメータを受信するステップ（ブロック８１０）およびフェッチ要求に基づきトリガ情報パラメータを判断するステップ（ブロック８２０）を含むことができる。例えば図４に関して以上で説明する実施形態では、フェッチ要求３２０はドメインマネージャ１１０により受信することができ、フェッチ要求３２０は被管理ノード識別子パラメータ４００、被管理ノード動作状態パラメータ４１０および／またはトリガ情報パラメータ４２０を含むことができる。被管理ノード識別子パラメータ４００はトリガ情報３３０を受信する被管理ノード（例えば、被管理ノード１２０）を特定する情報を含むことができる。被管理ノード動作状態パラメータ４１０は被管理ノード１２０に関連する動作状態を特定する情報を含むことができる。トリガ情報パラメータ４２０はドメインマネージャ１１０がトリガ情報（例えば、トリガ情報３３０）を被管理ノード１２０に提供するようにする出力パラメータを含むことができる。
【００６０】
処理ブロック７３０は図９に示す処理ブロックを含むことができる。図９に示すように、処理ブロック７３０が含みうるのは、トリガ情報に関連する被管理ノード識別子属性を検索する１つ以上のステップ（ブロック９００）、トリガ情報に関連する即時動作可能化属性を検索するステップ（ブロック９１０）、トリガ情報に関連する手動待機属性を検索するステップ（ブロック９２０）、トリガ情報に関連する日付／時間待機属性を検索するステップ（ブロック９３０）および／またはトリガ情報に関連するコマンド待機属性を検索するステップ（ブロック９４０）である。例えば図５に関して以上で説明する実施形態では、ドメインマネージャ１１０は被管理ノード識別子属性５００および起動条件グループ（例えば、即時動作可能化属性５１０、手動入力待機属性５２０、日付／時間待機属性５３０およびコマンド待機属性５４０）を含むトリガ情報３３０を検索することができる。被管理ノード識別子属性５００は１つ以上の被管理ノード（例えば、被管理ノード１２０）および１つ以上の被管理ノードに関連するトリガ情報（例えば、トリガ情報３３０）を特定する情報を含むことができる。即時動作可能化属性５１０は被管理ノード１２０が動作可能状態に直ちに入るように指令することができる起動条件を含むことができる。手動入力待機属性５２０は被管理ノード１２０が動作可能状態に入る前に（例えば、被管理ノードのユーザからの）手動命令を待つように指令することができる起動条件を含むことができる。日付／時間待機属性５３０は被管理ノード１２０が動作可能状態に入る日付および時間を指示することができる起動条件を含むことができる。コマンド待機属性５４０は被管理ノード１２０が動作可能状態に入る前に（例えば、ドメインマネージャ１１０からの）命令を待つように指令することができる起動条件を含むことができる。
【００６１】
処理ブロック７４０は図１０に示す処理ブロックを含むことができる。図１０に示すように、処理ブロック７４０は動作可能化命令に関連するドメインマネージャ識別子パラメータを検索するステップ（ブロック１０００）、動作可能化命令に関連する結果パラメータを検索するステップ（ブロック１０１０）および動作可能化命令に関連する理由パラメータを検索するステップ（ブロック１０２０）を含むことができる。例えば図６に関して以上で説明する実施形態では、ドメインマネージャ１１０はドメインマネージャ識別子パラメータ６００、結果パラメータ６１０および／または理由パラメータ６２０を含む動作可能化命令３４０を検索することができる。ドメインマネージャ識別子パラメータ６００は動作可能化命令３４０を提供する管理装置（例えば、ドメインマネージャ１１０）を特定する情報を含むことができる。結果パラメータ６１０は被管理装置（例えば、被管理ノード１２０）に実装する動作が成功である（例えば、被管理ノード１２０の動作状態が動作可能である）か、または成功でないか（例えば、被管理ノード１２０の動作状態が動作不能である）を指示する出力パラメータを含むことができる。理由パラメータ６２０は被管理装置（例えば、被管理ノード１２０）の動作状態が残留するか、または動作不能状態に入るべきかの理由を提供する出力パラメータを含むことができる。
【００６２】
図１１〜図１４は本明細書に記載する実施形態による被管理ノード１２０の初期動作状態を提供する例示的処理１１００のフローチャートを示す。一実施形態では、被管理ノード１２０のハードウェアおよび／またはソフトウェア構成要素により、処理１１００を実行することができる。他の実施形態では別の装置または装置グループの（例えば、被管理ノード１２０と通信する）ハードウェアおよび／またはソフトウェア構成要素と組み合わせて被管理ノード１２０ハードウェアおよび／またはソフトウェア構成要素により、処理１１００を実行することができる。
【００６３】
図１１に示すように、登録情報をドメインマネージャに提供するステップ（ブロック１１１０）および要求するトリガ情報を含むフェッチ要求をドメインマネージャに提供するステップ（ブロック１１２０）により、処理１１００はスタートすることができる。例えば図３に関して以上で説明する実施形態では、被管理ノード１２０は登録情報３１０をドメインマネージャ１１０に提供することができる。登録情報３１０は被管理ノード１２０を特定する情報、被管理ノード１２０の（例えば、ネットワーク１００への）接続に関する情報、認証情報などを含むことができる。被管理ノード１２０はフェッチ要求３２０をドメインマネージャ１１０に提供することができる。フェッチ要求３２０は被管理ノード１２０を特定する情報、被管理ノード１２０の動作状態を特定する情報、被管理ノード１２０の初期動作状態を要求する情報などを含むことができる。
【００６４】
図１１にさらに示すように、フェッチ要求に基づきトリガ情報および／または動作可能化命令をドメインマネージャから受信することができ（ブロック１１３０）、トリガ情報および／または動作可能化命令に基づき動作状態を判断することができる（ブロック１１４０）。例えば図３に関して以上で説明する実施形態では、被管理ノード１２０はトリガ情報３３０および／または動作可能化命令３４０を受信することができ、トリガ情報３３０および／または動作可能化命令３４０に基づきその動作状態を変更することができ、トリガ情報３３０および／または動作可能化命令３４０に基づきその動作状態３５０（例えば、被管理ノード１２０が動作可能、動作不能などであるか）を判断することができる。一例でトリガ情報３３０および動作可能化命令３４０双方を被管理ノード１２０により受信すれば、トリガ情報３３０が提供する起動条件にかかわらず動作可能化命令３４０は被管理ノード１２０の動作状態を動作可能状態に直ちに変更することができる。
【００６５】
図１１に戻り、動作状態情報をドメインマネージャに提供することができ（ブロック１１５０）、動作状態を動作可能にするとトラフィックを受信することができる（ブロック１１６０）。例えば図３に関して以上で説明する実施形態では、被管理ノード１２０は動作状態３５０（例えば、被管理ノード１２０が動作可能、動作不能などであるか）をドメインマネージャ１１０に提供することができる。被管理ノード１２０の動作状態を動作可能にすると、被管理ノード１２０は（例えば、ネットワーク１００を介して）トラフィック３６０を送信および／または受信することができる。ネットワークオペレータが（例えば、事前計画構成により）指定する時間にネットワークトラフィック（例えば、トラフィック３６０）を被管理ノード１２０により送信および／または受信できることを、そのような配備は保証することができる。一例で被管理ノード１２０のユーザ（例えば、顧客）はネットワークオペレータ（例えば、サービスプロバイダ）と調整する必要なく随時被管理ノード１２０を（例えば、その家庭で）設置することができるのは、被管理ノード１２０が動作可能であり、トラフィック３６０を受信することができる時間をドメインマネージャ１１０が（例えば、トリガ情報３３０により）制御することができるからである。
【００６６】
処理ブロック１１２０は図１２に示す処理ブロックを含むことができる。図１２に示すように、処理ブロック１１２０はフェッチ要求により被管理ノード識別子パラメータを提供するステップ（ブロック１２００）、要求により被管理ノード動作状態パラメータを提供するステップ（ブロック１２１０）およびフェッチ要求によりトリガ情報パラメータを提供するステップ（ブロック１２２０）を含むことができる。例えば図４に関して以上で説明する実施形態では、被管理ノード１２０は被管理ノード識別子パラメータ４００、被管理ノード動作状態パラメータ４１０および／またはトリガ情報パラメータ４２０を含むことができるフェッチ要求３２０を提供することができる。被管理ノード識別子パラメータ４００はトリガ情報（例えば、トリガ情報３３０）を要求する被管理ノード（例えば、被管理ノード１２０）を特定する情報を含むことができる。被管理ノード動作状態パラメータ４１０は被管理ノード１２０に関連する動作状態を特定する情報を含むことができる。一例では、被管理ノード識別子パラメータ４００は被管理ノード１２０のアドレスを提供することができ、被管理ノード動作状態パラメータ４１０は被管理ノードが動作不能であることを示すことができる。トリガ情報パラメータ４２０はドメインマネージャ１１０がトリガ情報（例えば、トリガ情報３３０）を被管理ノード１２０に提供するようにする出力パラメータを含むことができる。
【００６７】
処理ブロック１１３０は図１３に示す処理ブロックを含むことができる。図１３に示すように、処理ブロック１１３０が含みうるのは、トリガ情報に関連する被管理ノード識別子属性を受信する１つ以上のステップ（ブロック１３００）、トリガ情報に関連する即時動作可能化属性を受信するステップ（ブロック１３１０）、トリガ情報に関連する手動待機属性を受信するステップ（ブロック１３２０）、トリガ情報に関連する日付／時間待機属性を受信するステップ（ブロック１３３０）、および／またはトリガ情報に関連するコマンド待機属性を受信するステップ（ブロック１３４０）である。例えば図５に関して以上で説明する実施形態では、被管理ノード１２０は被管理ノード識別子属性５００および起動条件グループ（例えば、即時動作可能化属性５１０、手動入力待機属性５２０、日付／時間待機属性５３０およびコマンド待機属性５４０）を含むことができるトリガ情報３３０を受信することができる。１つ以上の起動条件５１０〜５４０に基づき被管理ノード１２０を動作可能にすることができる。被管理ノード識別子属性５００は被管理ノード１２０および被管理ノード１２０に関連するトリガ情報３３０を特定することができる。即時動作可能化属性５１０は被管理ノード１２０が動作可能状態に直ちに入るように指令することができる起動条件を含むことができる。手動入力待機属性５２０は被管理ノード１２０が動作可能状態に入る前に（例えば、被管理ノードのユーザからの）手動命令を待つように指令することができる起動条件を含むことができる。日付／時間待機属性５３０は被管理ノード１２０が動作可能状態に入ることができる日付および時間を指示することができる起動条件を含むことができる。コマンド待機属性５４０は被管理ノード１２０が動作可能状態に入る前に（例えば、ドメインマネージャ１１０からの）命令を待つように指令することができる起動条件を含むことができる。
【００６８】
あるいはおよび／またはさらに、処理ブロック１１３０は図１４に示す処理ブロックを含むことができる。図１４に示すように、処理ブロック１１３０は動作可能化命令に関連するドメインマネージャ識別子パラメータを受信するステップ（ブロック１４００）、動作可能化命令に関連する結果パラメータを受信するステップ（ブロック１４１０）および動作可能化命令に関連する理由パラメータを受信するステップ（ブロック１４２０）を含むことができる。例えば図６に関して以上で説明する実施形態では、被管理ノード１２０はドメインマネージャ識別子パラメータ６００、結果パラメータ６１０および／または理由パラメータ６２０を含むことができる動作可能化命令３４０を受信することができる。ドメインマネージャ識別子パラメータ６００はドメインマネージャ１１０を特定する情報（例えば、アドレス）を含むことができる。結果パラメータ６１０は被管理ノード１２０に実装する動作が成功である（例えば、被管理ノード１２０の動作状態が動作可能である）か、または成功でないか（例えば、被管理ノード１２０の動作状態が動作不能である）を指示する出力パラメータを含むことができる。理由パラメータ６２０は被管理ノード１２０の動作状態が残留するか、または動作不能状態に入るべきかの理由を提供する出力パラメータを含むことができる。一例では、トリガ情報３３０により提供する起動条件に関わらず、動作可能化命令３４０は被管理ノード１２０がその動作状態を動作可能状態に直ちに変更するようにすることができる。
【００６９】
本明細書に記載する実施形態は被管理ノードの初期動作状態を提供するシステムおよび／または方法を含むことができ、従ってドメインマネージャは（例えば、被管理ノードの動作を可能にする前に）被管理ノードとの対話を開始することができ、被管理ノードが動作状態になる時期を判断することができる。
【００７０】
本明細書に記載する実施形態は多様な利点を提供することができる。例えば、本明細書に記載する実施形態は管理装置（例えば、ドメインマネージャ１１０）により提供する事前計画トリガ情報により被管理装置（例えば、被管理ノード１２０）を動作可能にする（例えば、トラフィックを送信／受信する）ことができる条件を制御することができる。被管理ノード１２０の動作可能化の制御により、ドメインマネージャ１１０は被管理ノード１２０を設置し、ネットワーク（例えば、ネットワーク１３０）に接続するであろう時期を予測する必要がない。このような配備はＳＯＮベース被管理ノードの管理には特に有益でありうる。
【００７１】
以上の実施形態の記載は例図および説明を提供するが、網羅的であること、または本発明を開示する正確な形式に限定することを意図しない。修正および変形は上記の教示に照らして可能であるか、または本発明の実施から得ることができる。例えば、一連のブロックを図７〜図１４に関して説明したが、ブロックの順序は他の実施形態で修正することができる。さらに、非従属ブロックは並列に実行することができる。
【００７２】
強調すべきは、本明細書で使用する場合用語「含んでいる／含む」は記述する特徴、整数、ステップまたは構成要素の存在を明記すると解釈されるが、１つ以上の他の特徴、整数、ステップ、構成要素または以上のグループの存在または追加を排除しないことである。
【００７３】
明らかであろうことは、以上で説明するように図に示す実施形態におけるソフトウェア、ファームウェアおよびハードウェアの多くの異なる形式で、例示的実施形態を実装することができることである。これらの態様を実装するのに使用する実際のソフトウェアコードまたは専用制御ハードウェアは限定するものと解釈すべきではない。従って本態様の動作および振る舞いを特定のソフトウェアコードを参照することなく説明した−このことは本明細書における記述に基づき本態様を実装するようにソフトウェアおよび制御ハードウェアを計画することができると理解される。
【００７４】
さらに、本発明のある部分は１つ以上の機能を実行する「ロジック」として実装することができる。ロジックは、特定用途向け集積回路、フィールド・プログラマブル・ゲート・アレイ、プロセッサまたはマイクロプロセッサのようなハードウェアまたはハードウェアとソフトウェアの組み合わせを含むことができる。
【００７５】
特徴の詳細な組み合わせは特許請求の範囲において列挙する、および／または本明細書において開示するが、これらの組み合わせは本発明を制限することを意図しない。事実、特許請求の範囲で特に列挙しない、および／または本明細書で開示しない方法で、これの特徴の多くを組み合わせることができる。
【００７６】
そのように明確に記述しない限り、本出願において使用する要素、ブロックまたは命令は本発明にとり決定的または本質的と解釈すべきではない。また本明細書で使用するように、冠詞”a”は１つ以上の項目を含むことを意図する。ただ１つの項目を意図する場合、用語”one”または類似の言葉を使用する。さらに別途明確に記述しない限り、句”〜に基づく（based on）”は”〜に少なくとも部分的に基づく(based, at least in part, on)”を意味することを意図する。
【図１】
0005452589.tif 000002
【図２Ａ】
0005452589.tif 000003
【図２Ｂ】
0005452589.tif 000004
【図３】
0005452589.tif 000005
【図４】
0005452589.tif 000006
【図５】
0005452589.tif 000007
【図６】
0005452589.tif 000008
【図７】
0005452589.tif 000009
【図８】
0005452589.tif 000010
【図９】
0005452589.tif 000011
【図１０】
0005452589.tif 000012
【図１１】
0005452589.tif 000013
【図１２】
0005452589.tif 000014
【図１３】
0005452589.tif 000015
【図１４】
0005452589.tif 000016